(57)【要約】【課題】圧力損失の抑制、及び継続的な換気を実現しながら、本体箱体内に霧などが侵入してしまうことを抑制する換気装置を提供することを目的とする。【解決手段】給気風路に移動自在に設けられ、通気性を有する板状の通風部材を有するダンパーユニットと、給気風路の湿度を検知する湿度センサと、湿度センサの検知結果に基づいてダンパーユニットを制御し、通風部材を移動させる制御装置と、を備えたものである。【選択図】図２
2015031418.tif 000002
【特許請求の範囲】
【請求項１】
給気吸込口及び給気吹出口に連通する給気風路と、排気吸込口及び排気吹出口に連通する排気風路とを有する本体箱体と、
前記給気風路に設けられ、空気を前記給気風路に取り込み、空調対象空間に放出する給気用送風機と、
前記排気風路に設けられ、空気を前記排気風路に取り込み、空調対象空間外に排出する排気用送風機と、
前記給気風路に移動自在に設けられ、通気性を有する板状の通風部材を有するダンパーユニットと、
前記給気風路の湿度を検知する湿度センサと、  
前記湿度センサの検知結果に基づいて前記ダンパーユニットを制御し、前記通風部材を移動させる制御装置と、
を備えた
ことを特徴とする換気装置。
【請求項２】
前記ダンパーユニットは、
予め設定された形状の枠体である開閉自在のダンパー板と、
前記ダンパー板に取り付けられる前記通風部材と、
前記ダンパー板が前記本体箱体に回転自在に支持されるように、前記ダンパー板に設けられているダンパー軸と、
前記ダンパー板を回転させる駆動部と、
前記駆動部と前記ダンパー板とを接続するリンク部品とを有する
ことを特徴とする請求項１に記載の換気装置。
【請求項３】
前記ダンパー板は、
前記給気風路のうちの前記給気吸込口側に設けられている
ことを特徴とする請求項２に記載の換気装置。
【請求項４】
前記制御装置は、
前記湿度センサの検知結果が予め設定されている値以上である場合には、前記ダンパー板を閉じ、
前記湿度センサの検知結果が予め設定されている値未満である場合には、前記ダンパー板を開く
ことを特徴とする請求項２又は３に記載の換気装置。
【請求項５】
前記制御装置は、
前記湿度センサの検知結果が予め設定されている値以上である場合には、前記通風部材と前記給気風路の空気流れ方向とが垂直となるように前記ダンパー板を回転させ、
前記湿度センサの検知結果が予め設定されている値未満である場合には、前記通風部材と前記給気風路の空気流れ方向とが平行となるように前記ダンパー板を回転させる
ことを特徴とする請求項４に記載の換気装置。
【請求項６】
前記本体箱体の下面側の外郭を構成する下面部は、前記ダンパーユニットの取り付け位置側から前記給気吸込口側にかけて下側に傾斜している
ことを特徴とする請求項１〜５のいずれか一項に記載の換気装置。
【請求項７】
前記通風部材は、
繊維をメッシュ状に配置して構成した
ことを特徴とする請求項１〜６のいずれか一項に記載の換気装置。
【請求項８】
前記本体箱体内に設けられ、前記給気風路を流れる空気と前記排気風路を流れる空気とを熱交換させる熱交換器を備え、
前記熱交換器には、
給気の塵、埃を捕集する給気フィルタが設けられている
ことを特徴とする請求項１〜７のいずれか一項に記載の換気装置。
【請求項９】
前記湿度センサは、
前記給気風路のうち前記ダンパーユニットよりも上流側に設けられている
ことを特徴とする請求項１〜８のいずれか一項に記載の換気装置。
【発明の詳細な説明】
【技術分野】
【０００１】
本発明は、換気装置に関するものである。
【背景技術】
【０００２】
換気装置は送風機などが搭載される本体箱体を有しており、この本体箱体は室内、室外とダクト、屋外フードなどを介して連通している。ここで、室外にて霧が発生していたり、雨が降っている場合には、送風機によって強制的に本体箱体に取り込まれる空気とともに、霧、雨水などの水分が本体箱体内に取り込まれてしまう場合がある。
【０００３】
昨今では、空調対象空間を２４時間の間、換気するニーズが高まっている。早朝及び深夜には霧、高湿度空気などが発生しやすく、この時間帯において換気装置を運転していると、その分本体箱体内に水分が侵入してしまう可能性が高まる。特に、換気装置が天井埋込タイプの場合には、本体箱体を構成する部材間から水が流出し、本体箱体が設置される天井などを濡らすという問題がある。
【０００４】
このため、このような水分を除去するために、たとえば外気を取り込むのに利用される屋外フードの内部風路を複雑に折り曲げて風路内で空気の衝突をさせて水分を除去する方式がとられてきた。
【０００５】
また、空気の湿度を湿度検知センサにて検知して送風機の制御を行う換気装置が提案されている（たとえば、特許文献１参照）。特許文献１に記載の技術は、室外に設けられた湿度検知センサで検知された外気湿度の測定値が、予め設定された値を下回るとファンが作動して換気を行うものである。
【０００６】
また、湿度検知センサで検知された外気湿度の測定値が予め設定された値よりも小さいと、給気を本体箱体内に取り込むのをやめるため、給気用送風機の運転を停止する制御を行う換気装置が提案されている（たとえば、特許文献２参照）。
【０００７】
また、室内の換気扇に付設された湿度検知センサにより室内湿度を予め設定された時間毎に検知し、換気扇の運転を停止する室内換気システムが提案されている（たとえば、特許文献３参照）。
【０００８】
また、給気通路内に室外吸込口から取り込む給気の状態を検知する給気状態検出器（結露センサ）を設け、結露センサの検知結果に基づいて、水分が本体箱体内に浸入したと判定したときに給気送風機を停止、又は間欠運転する換気装置が提案されている（たとえば、特許文献４参照）。なお、この間欠運転時において、水分が本体箱体内に浸入していないと判定した場合よりも、風量を低下させて間欠運転を実施し、本体箱体内に水分が侵入することを抑制するようにした換気扇も提案されている（たとえば、特許文献５参照）。
【先行技術文献】
【特許文献】
【０００９】
【特許文献１】特開平０８−０１４６１１号公報（たとえば、図１参照）
【特許文献２】特開平０５−２８０７７４号公報（たとえば、図３参照）
【特許文献３】特開平０５−３１１９５６号公報（たとえば、要約書参照）
【特許文献４】特開２００９−２９３８８０号公報（たとえば、請求項１参照）
【特許文献５】特開２０１２−１７２９６１号公報（たとえば、請求項１参照）
【発明の概要】
【発明が解決しようとする課題】
【００１０】
上述の屋外フードの内部風路を複雑に折り曲げる手段は、屋外フードにおける風路を急激に曲げることで室外空気の霧などを除去する方法であるため、その分、圧力損失が増大してしまうという課題がある。
【００１１】
特許文献１−５に記載の技術のように、湿度検知センサなどの検知結果に基づいて送風機の運転を停止したり、間欠運転をしたりすることで本体箱体内に霧などが侵入してしまうことを抑制することもできるが、送風機が停止させて給気を取り込まない期間が生じ、継続的な換気を実施することができないという課題がある。
【００１２】
本発明は、以上のような課題を解決するためになされたもので、圧力損失の抑制、及び継続的な換気を実現しながら、本体箱体内に霧などが侵入してしまうことを抑制する換気装置を提供することを目的とする。
【課題を解決するための手段】
【００１３】
本発明に係る換気装置は、給気吸込口及び給気吹出口に連通する給気風路と、排気吸込口及び排気吹出口に連通する排気風路とを有する本体箱体と、給気風路に設けられ、空気を給気風路に取り込み、空調対象空間に放出する給気用送風機と、排気風路に設けられ、空気を排気風路に取り込み、空調対象空間外に排出する排気用送風機と、給気風路に移動自在に設けられ、通気性を有する板状の通風部材を有するダンパーユニットと、給気風路の湿度を検知する湿度センサと、湿度センサの検知結果に基づいてダンパーユニットを制御し、通風部材を移動させる制御装置と、を備えたものである。
【発明の効果】
【００１４】
本発明に係る換気装置によれば、上記構成を有しているため、圧力損失の抑制、及び継続的な換気を実現しながら、本体箱体内に霧などが侵入してしまうことを抑制することができる。
【図面の簡単な説明】
【００１５】
【図１】本発明の実施の形態に係る換気装置の概要構成例図である。
【図２】図１に示す換気装置のダンパーユニットが開いている状態を示す縦断面模式図である。
【図３】図１に示す換気装置のダンパーユニットが閉じている状態を示す縦断面模式図である。
【図４】本発明の実施の形態に係る換気装置のダンパーユニットが開いている状態における説明図である。
【図５】本発明の実施の形態に係る換気装置のダンパーユニットが閉じている状態における説明図である。
【図６】本発明の実施の形態に係る換気装置のダンパー板が開いている状態の説明図である。
【図７】本発明の実施の形態に係る換気装置のダンパー板が閉じている状態の説明図である。
【図８】ダンパー板及びダンパー軸の正面図である。
【発明を実施するための形態】
【００１６】
以下、本発明の実施の形態を図面に基づいて説明する。
実施の形態．
図１は、実施の形態に係る換気装置５０の概要構成例図である。図２は、図１に示す換気装置５０のダンパーユニット１７が開いている状態を示す縦断面模式図である。図３は、図１に示す換気装置５０のダンパーユニット１７が閉じている状態を示す縦断面模式図である。なお、図１では、換気装置５０の外郭である本体箱体１のうち上面側を構成する天面部１Ａを取り外した状態を図示している。また、図２及び図３では、この天面部１Ａについて図示を省略している。さらに、図１〜図３に図示された符号Ａ、Ｂ、Ｃで示す矢印は排気の流れを表し、符号Ｄ、Ｅ、Ｆで示す矢印は給気の流れを表している。
本実施の形態に係る換気装置５０は、圧力損失の抑制、及び継続的な換気を実現しながら、本体箱体１内に霧などが侵入してしまうことを抑制する改良が加えられたものである。
【００１７】
換気装置５０は、空調対象空間（たとえば、家、ビル、倉庫など）の空気を取り込んで空調対象空間外に排出するとともに、空調対象空間外の空気を取り込んで空調対象空間に供給することができるものである。なお、以下の説明においては、空調対象空間が、家の室内である場合を例に説明する。また、「室外空気」は換気装置５０から室内に供給される給気に対応し、「室内空気」は、換気装置５０から室外に排出される「排気」に対応する。
【００１８】
［構成説明］
換気装置５０は、各種機器が搭載される本体箱体１と、取り込んだ室外の空気と室内の空気とを熱交換させる熱交換器１０と、熱交換器１０に付設される給気フィルタ２１と、室外の空気を取り込む給気用送風機８と、室内の空気を取り込む排気用送風機９と、本体箱体１に取り込まれた室外空気中に含まれる水分（霧など）を受けるのに利用されるダンパーユニット１７と、湿度センサ１６とを有している。
なお、図示は省略しているが、換気装置５０は、湿度センサ１６の検知結果が出力され、給気用送風機８及び排気用送風機９の回転数、後述するダンパーユニット１７の駆動部１７Ｃなどを制御する制御装置が設けられている。制御装置は、たとえばマイコンなどで構成される。
【００１９】
換気装置５０は、室外側から本体箱体１側に室外空気を取り込むのに利用される給気吸込口３と、本体箱体１側から室内側に給気をするのに利用される給気吹出口４と、本体箱体１内に設けられ、給気吸込口３と給気吹出口４とを接続する給気風路７とを有している。
また、換気装置５０は、室内側から本体箱体１側に室内空気を取り込むのに利用される排気吸込口２と、本体箱体１側から室外側に排気をするのに利用される排気吹出口５と、本体箱体１内に設けられ、排気吸込口２と排気吹出口５とを接続する排気風路６とを有している。
なお、図１〜図３では図示を省略しているが、排気吸込口２及び給気吹出口４は、たとえばダクト２２（図６及び図７参照）などを介して室内と連通しており、給気吸込口３及び排気吹出口５も、たとえばダクト２２などを介して室外と連通している。
【００２０】
（本体箱体１）
本体箱体１は、換気装置５０の外郭を構成するとともに、給気及び排気が流れる風路を有しているものである。本体箱体１には、給気用送風機８と、排気用送風機９と、熱交換器１０と、ダンパーユニット１７と、が少なくとも搭載されている。
本体箱体１は、その側面のうち熱交換器１０を本体箱体１に取り付け、取り外しの際に利用される開口１１が形成されている第１の側面部１ａと、第１の側面部１ａと平行であって向かい合う面を第２の側面部１ｂと、排気吸込口２及び給気吹出口４が設けられている第３の側面部１ｃと、給気吸込口３及び排気吹出口５が設けられている第４の側面部１ｄとを有している。また、本体箱体１は、その上面側の外郭を構成する天面部１Ａと、本体箱体１の下面側の外郭を構成する下面部１Ｂとを有している。天面部１Ａ及び下面部１Ｂは、第１の側面部１ａ、第２の側面部１ｂ、第３の側面部１ｃ及び第４の側面部１ｄに直交するように設けられている。
なお、第１の側面部１ａには、開口１１の形成位置に、熱交換器１０の取り付け、取り外し時などに開放するメンテナンスカバー１４とが設けられている。
【００２１】
本体箱体１は、後述するダンパーユニット１７のダンパー板１７Ａ及びダンパー軸１７Ｂが設けられるケーシング１５が設けられている（図６及び図７参照）。ケーシング１５は、上流側が給気吸込口３と連通するように、下流側が熱交換器１０と連通するように設けられている。ケーシング１５は、図１に示すように、本体箱体１内の空間のうち、熱交換器１０の設置位置よりも第４の側面部１ｄ側であって排気用送風機９よりも第１の側面部１ａ側に設けられているものである。
ケーシング１５は、天面部１Ａ側に設けられ、後述するダンパー軸１７Ｂの上端側を回転自在に支持する上面部１５Ａと、ダンパー軸１７Ｂの下端側を回転自在に支持し、湿度センサ１６が設けられている下面部１５Ｂとを有しているものである。なお、下面部１５Ｂは、ダンパー軸１７Ｂを支持している側から給気吸込口３側に向かって下側に傾斜している傾斜面１５ａを有している。これにより、ダンパー板１７Ａで水滴となり滴下した水は、傾斜面１５ａを伝って給気吸込口３及びダクト２２を介して室外に排出される。
【００２２】
本体箱体１は、給気が流れる給気風路７、及び排気が流れる排気風路６を有している。なお、給気風路７と排気風路６は、給気と排気とが混合しないように、全経路にわたり互いに独立して設けられている。そして、給気風路７の給気と、排気風路６の排気とを熱交換させることができるように本体箱体１には熱交換器１０が設けられている。
なお、給気風路７を流れる空気は、上流側から、給気吸込口３、湿度センサ１６、ダンパーユニット１７、熱交換器１０、給気用送風機８及び給気吹出口４を流れる。また、排気風路６を流れる空気は、上流側から、排気吸込口２、熱交換器１０及び排気用送風機９を流れる。
【００２３】
（熱交換器１０）
熱交換器１０は、本体箱体１に導入した室外空気と、室内の空気とを熱交換させるものである。すなわち、熱交換器１０は、給気風路７を通過する給気と、排気風路６を通過する排気との間で、熱交換を行わせるものである。このように、熱交換器１０は、排気の熱量を給気で回収する機能を有している。熱交換器１０は、第１の側面部１ａ側から第２の側面部１ｂ側にかけて設けられている。また、熱交換器１０には、給気する空気に含まれる塵、埃などを除去する給気フィルタ２１が取り付けられている。なお、熱交換器１０に流入した室外空気が流れる給気風路７のうちの熱交換器１０の流路と、室内空気が流れる排気風路６のうちの熱交換器１０の流路とが交差しているが、熱交換器１０は、流入した室外空気と室内空気とが混合しないように構成されている。
【００２４】
（給気フィルタ２１）
給気フィルタ２１は、給気風路７を通過する空気の塵、埃などを捕集するものである。給気フィルタ２１は、熱交換器１０のうちの給気風路７側の上流に付設されている。なお、給気フィルタ２１は、たとえば熱交換器１０に密着するように取り付けられている。
給気フィルタ２１が設けられていることにより、熱交換器１０及び給気用送風機８に塵、埃などが侵入してしまうことを抑制することができ、熱交換器１０の流路が詰まってしまい熱交換能力が低下したり、給気用送風機８が故障してしまうことを回避することができる。また、給気吹出口４から室内に塵、埃などが放出されてしまうことを抑制することができる。
【００２５】
（給気用送風機８及び排気用送風機９）
給気用送風機８及び排気用送風機９は、回転する羽根１２、羽根１２を回転させる電動機１３などから構成されたものであり、本体箱体１内に空気を取り込み、放出するものである。給気用送風機８は、第３の側面部１ｃの対向位置に設けられ、第１の側面部１ａ側に設けられているものである。また、排気用送風機９は、第４の側面部１ｄの対向位置に設けられ、第２の側面部１ｂ側に設けられているものである。
【００２６】
（ダンパーユニット１７）
ダンパーユニット１７は、本体箱体１に取り込まれた室外空気中に含まれる水分（霧など）が、給気風路７のうち自身よりも下流側に流入してしまうことを抑制するものである。ダンパーユニット１７は、たとえば繊維で構成される通風部材１７０と、通風部材１７０が接着材などで貼付けられているダンパー板１７Ａと、ダンパー板１７Ａを本体箱体１に回転自在に支持するダンパー軸１７Ｂと、ダンパー軸１７Ｂを回転させてダンパー板１７Ａを回転させる駆動部１７Ｃと、ダンパー軸１７Ｂと駆動部１７Ｃとを接続するリンク部品１７Ｄとを有している。
通風部材１７０は、繊維をメッシュ状に配置して構成したものである。このため、メッシュ状の繊維によって霧、雨水などは受け止められるが、メッシュ状の繊維間に隙間が空いているので通気性を有している。この通風部材１７０は、ダンパー板１７Ａに取り付けられており、ダンパー板１７Ａによって給気風路７内に移動自在に設けられている。そして、図２及び図３に示すように、通風部材１７０が取り付けられたダンパー板１７Ａが、給気風路７のうちの給気吸込口３側に配置されているので、本体箱体１内に霧、雨水などの浸入がより確実に抑制されているようになっている。ダンパーユニット１７については、後段で詳しく説明する。
【００２７】
（湿度センサ１６）
湿度センサ１６は、本体箱体１に取り込まれた給気の湿度を検知するものである。湿度センサ１６は、給気風路７のうちのダンパーユニット１７のダンパー板１７Ａよりも上流側に設けられている。より詳細には、湿度センサ１６は、ケーシング１５の下面部１５Ｂ上に設けられているものである。仮に、湿度センサ１６がダンパー板１７Ａよりも下流側に設けられていると、ダンパー板１７Ａが閉じているときに、湿度が予め設定されている値より小さくなったか否かを正確に検知することができないので、このような事態を回避するためダンパー板１７Ａよりも上流側に設けられている。
湿度センサ１６は、図示省略の制御装置に電気的に接続されており、湿度センサ１６の検知結果が制御装置に出力されるようになっている。この湿度センサ１６の検知結果を受けて制御装置は、ダンパーユニット１７の駆動部１７Ｃを制御し、ダンパー板１７Ａを回転させる。
【００２８】
［給気及び排気の流れの説明］
上記のように構成された換気装置５０において、熱交換器１０を利用した空調換気については、それぞれの給気用送風機８、排気用送風機９を運転することにより、室内空気は、ダクト２２を介して排気吸込口２から矢印Ａのように吸い込まれ、熱交換器１０及び排気風路６を矢印Ｂのように通り、排気用送風機９により排気吹出口５から矢印Ｃのように吹き出される。
【００２９】
また、ダクト２２（図５及び図６参照）を介して給気吸込口３から矢印Ｄのように吸い込まれ、熱交換器１０および給気風路７を矢印Ｅのように通り、給気用送風機８により給気吹出口４から矢印Ｆのように吹き出され、ダクト２２を介して室内に給気される。
このとき、熱交換器１０では排気流と給気流との間で熱交換が行われ、排気熱を回収して冷暖房負荷を軽減することができるようになっている。なお、排気用送風機９及び給気用送風機８の回転数などの制御は、図示省略の制御装置によって行われる。
【００３０】
［ダンパーユニット１７について］
図４は、実施の形態に係る換気装置５０のダンパーユニット１７が開いている状態における説明図である。図５は、実施の形態に係る換気装置５０のダンパーユニット１７が閉じている状態における説明図である。図６は、実施の形態に係る換気装置５０のダンパー板１７Ａが開いている状態の説明図である。図７は、実施の形態に係る換気装置５０のダンパー板１７Ａが閉じている状態の説明図である。図８は、ダンパー板１７Ａ及びダンパー軸１７Ｂの正面図である。なお、図４及び図５は、本体箱体１の下面を取り外し、下面側から換気装置５０を見た斜視図である。図４〜図８を参照して、ダンパーユニット１７の構成及び動作について説明する。
【００３１】
ダンパー板１７Ａは、予め設定された形状の枠体である。より詳細には、上側部１７Ａ１と、上側部１７Ａ１に対向する下側部１７Ａ２と、上側部１７Ａ１と下側部１７Ａ２に直交するように接続される第１立設部１７Ａ３及び第２立設部１７Ａ４と、上側部１７Ａ１の中央部分と下側部１７Ａ２の中央部分とに接続される第１接続部１７Ａ５と、第１立設部１７Ａ３の中央部分と第２立設部１７Ａ４の中央部分とを接続する第２接続部１７Ａ６とを有する枠体である。そして、上側部１７Ａ１、下側部１７Ａ２、第１立設部１７Ａ３、第２立設部１７Ａ４、第１接続部１７Ａ５及び第２接続部１７Ａ６によって構成される枠体（ダンパー板１７Ａ）に、通風部材１７０が取り付けられているものである。
【００３２】
ダンパー板１７Ａには、繊維をメッシュ状に配置して構成した通風部材１７０が取り付けられているので、雨水、霧などがダンパー板１７Ａよりも下流側に飛散することを抑制するとともに、給気については通過させることができる。通風部材１７０は、繊維自体によって霧、雨水は捕捉されるが、メッシュ状の繊維間の隙間から空気が通過するようになっているということである。これにより、ダンパー板１７Ａが給気風路７の風路面と平行（空気流れ方向と垂直）となっていても、給気は、ダンパー板１７Ａの通風部材１７０の間を通って室内に供給されるようになっている。
【００３３】
なお、ダンパー板１７Ａの形状は、一例として長方形状であるものとして説明するが、それに限定されるものではなく、たとえば、ダンパー板１７Ａが設置される風路面の形状に合わせて形状を変更するとよい。ダンパー板１７Ａが設置されるケーシング１５の風路面が円形状である場合には、ダンパー板１７Ａの形状も円形とすれば、ダンパー板１７Ａとケーシング１５との間に形成される隙間を小さくすることができ、より確実にダンパー板１７Ａで霧を受けることができる。
【００３４】
通風部材１７０は、繊維をメッシュ状に配置して構成した板状部材である場合を例に説明しているが、それに限定されるものではない。たとえば、金属線をメッシュ状に複数設けた態様であってもよい。また、霧、雨水をより捕捉できるように吸湿性を有するスポンジなどの多孔質を有する態様であってもよい。ただし、スポンジなどよりもメッシュ状の繊維の方が、きめが適度に粗いためダンパー板１７Ａを閉じているときの通気性が得やすい。また、金属線よりもメッシュ加工された繊維の方が、錆びてしまうことがなく、安価である。また、メッシュ状（格子状）に限定されるものではなく、複数の繊維の配置が柵状になるように複数の繊維を平行に配置して通風部材１７０を構成してもよい。
さらに、ダンパー板１７Ａは、通風部材１７０が接着材などで貼付けられている場合を例に説明したが、それに限定されるものではなく、たとえば、釘状のピン部材などで固定するようにしてもよい。
【００３５】
ダンパー軸１７Ｂは、本体箱体１の下面部１Ｂ側から本体箱体１の天面部１Ａ側に向かう方向に平行に設けられているものである。なお、ダンパー軸１７Ｂは、図８に示すように、上側部１７Ａ１の上面側から上側に突出形成されたものと、下側部１７Ａ２の下面側から下側に突出形成されたものとから構成されている。ダンパー軸１７Ｂは、下側のものがケーシング１５の下面部１５Ｂに回転自在に支持され、上端のものがケーシング１５の上面部１５Ａに回転自在に支持されている。
なお、本実施の形態では、図８に示すように、ダンパー軸１７Ｂが本体箱体１の下面部１Ｂ側から本体箱体１の天面部１Ａ側に向かう方向に平行に設けられている場合を例に説明したが、それに限定されるものではない。たとえば、ダンパー軸１７Ｂのうちの一方が第１立設部１７Ａ３に形成され、他方が第２立設部１７Ａ４に形成され、回転軸が本体箱体１の第１の側面部１ａ側から本体箱体１の第２の側面部１ｂ側に向かう方向に平行となるように構成してもよい。
【００３６】
駆動部１７Ｃは、たとえばモーターなどから構成されるものであり、ダンパー板１７Ａを回転させるものである。駆動部１７Ｃは、本体箱体１の下面部１Ｂ上に設けられているものであり、リンク部品１７Ｄを介してダンパー板１７Ａに接続されている。また、駆動部１７Ｃは、ダンパー板１７Ａよりも下流側であって熱交換器１０よりも上流側の給気風路７に設けられている。なお、駆動部１７Ｃの設置位置は、これに限定されるものではなく、ダンパー板１７Ａよりも上流側に設置されていてもよいが、ダンパー板１７Ａよりも下流側の方が、霧などがかかってしまうことを抑制され、駆動部１７Ｃが備えている電気部品などの故障を回避することができる。
【００３７】
リンク部品１７Ｄは、一端側が駆動部１７Ｃに接続され、他端側がダンパー板１７Ａに接続されているものである。なお、リンク部品１７Ｄの他端側は、ダンパー板１７Ａのうち、ダンパー軸１７Ｂに対してずれた位置（図８の点Ｓ参照）に接続されている。より詳細には、リンク部品１７Ｄは、ダンパー板１７Ａの下側部１７Ａ２に接続されており、この下側部１７Ａ２のうちのダンパー軸１７Ｂに対応する軸からずれた位置に接続されている。これにより、駆動部１７Ｃがリンク部品１７Ｄを動作させてリンク部品１７Ｄのうちの他端側の位置を動かすと、この他端側に接続されているダンパー板１７Ａがダンパー軸１７Ｂを軸として回転する。
【００３８】
次に、ダンパーユニット１７の動作について説明する。
給気の中に雨水、霧などが含まれる場合には、湿度センサ１６により検知される。制御装置は、湿度センサ１６の検知結果が、外気の湿度が予め設定されている値以上である場合に、ダンパー板１７Ａを閉じ、通風部材１７０と給気風路７の空気流れ方向とが垂直となるように通風部材１７０を移動させる。すなわち、外気の高湿度を湿度センサ１６が検知した場合には、制御装置が外気に雨水、霧が含まれているという判定をし、ダンパー板１７Ａを閉じ、ダンパーユニット１７よりも下流側に雨水、霧などが流れないように遮断する。
【００３９】
ダンパー板１７Ａを閉じる条件の一例について説明する。たとえば、湿度センサ１６の検知結果が８０％ＲＨ以上であると制御装置が判定した場合に、ダンパー板１７Ａを閉じるように駆動部１７Ｃを駆動するとよい。
駆動部１７Ｃが駆動すると、ダンパー板１７Ａとの接続部分が、リンク部品１７Ｄによって、駆動部１７Ｃの設置位置側から離れる側に押し込まれる。このように、リンク部品１７Ｄによってダンパー板１７Ａが押し込まれると、ダンパー板１７Ａは、ダンパー軸１７Ｂを軸として図６に示す矢印Ｇの方向へ回転し、図６の状態から図７の状態へ移行する。このように、ダンパー板１７Ａが給気風路７を閉じると、ダンパー板１７Ａ及び通風部材１７０と給気の流れ方向とが垂直となり、通風部材１７０のメッシュ間の隙間を介して給気を通すが、ダンパーユニット１７よりも下流側への雨水、霧の侵入は抑制される。
【００４０】
ダンパー板１７Ａを開く条件の一例について説明する。たとえば、湿度センサ１６の検知結果が８０％ＲＨ未満であると制御装置が判定した場合に、ダンパー板１７Ａを開くように駆動部１７Ｃを駆動するとよい。
駆動部１７Ｃが駆動すると、ダンパー板１７Ａとの接続部分が、リンク部品１７Ｄによって、駆動部１７Ｃの設置位置側に近づく側に引っ張られる。このように、リンク部品１７Ｄによってダンパー板１７Ａが引っ張られると、ダンパー板１７Ａは、ダンパー軸１７Ｂを軸として図７に示す矢印Ｈの方向へ回転し、図７の状態から図６の状態へ移行する。このように、ダンパー板１７Ａが給気風路７を開放すると、ダンパー板１７Ａ及び通風部材１７０と給気の流れ方向とが平行となり、給気の通過を妨げることがなくなる。
【００４１】
ここで、湿度センサ１６の検知結果が８０％ＲＨ未満であると制御装置が判定した場合には、ダンパー板１７Ａが開いているが、この場合には、ダンパー板１７Ａ及び通風部材１７０と空気流れ方向とが平行となっている。ダンパー板１７Ａに取り付けられている通風部材１７０には、給気に含まれる塵、埃などが付着することがあるが、この付着した塵、埃などは、給気の流れによって通風部材１７０から剥がされて下流側の給気フィルタ２１にて捕集される。すなわち、塵、埃などで通風部材１７０が目詰まりしてしまうことが抑制されるとともに、通風部材１７０に付着していた塵、埃などが給気吹出口４から室内に放出されてしまうことを抑制することができる。
【００４２】
なお、本実施の形態では、ダンパー板１７Ａが閉じる場合には、ダンパー板１７Ａ及び通風部材１７０と給気の流れ方向とが垂直となるようにするものとして説明したが、それに限定されるものではなく、ダンパー板１７Ａ及び通風部材１７０と給気の流れ方向とが垂直からずれていてもよい。ただし、ダンパー板１７Ａ及び通風部材１７０と給気の流れ方向とが垂直となっている方が、より確実にダンパーユニット１７の下流側への霧、雨水の侵入を抑制することができる。
また、本実施の形態では、ダンパー板１７Ａを開く場合には、ダンパー板１７Ａ及び通風部材１７０と給気の流れ方向とが平行となるようにするものとして説明したが、それに限定されるものではなく、ダンパー板１７Ａ及び通風部材１７０と給気の流れ方向とが平行からずれていてもよい。ただし、ダンパー板１７Ａ及び通風部材１７０と給気の流れ方向とが平行となっている方が、より給気の圧力損失を抑制することができる。
【００４３】
［本実施の形態に係る換気装置５０の有する効果］
本実施の形態に係る換気装置５０は、繊維などで構成されるメッシュ状部材が取り付けられたダンパー板１７Ａを有している。このため、ダンパー板１７Ａを閉じたときには、給気を通過させることを実現しながらも、雨水、霧などの侵入を抑制することができるようになっている。
【００４４】
本実施の形態に係る換気装置５０は、ダンパー板１７Ａを閉じていても開いていても、給気が通過するように構成されているため、従来のように給気用送風機８を停止したり、間欠運転を実施したりすることなく、継続的な換気を実現しながら、雨水、霧などの侵入を抑制することができるようになっている。
【００４５】
また、換気装置５０を建物に設置した後に、この建物に霧が生じやすいことが判明する場合がある。霧の侵入を抑制する屋外フードに交換するにあたり、たとえば設置場所が建物の３階以上である場合などには、屋外フードの交換による作業負担が生じることとなる。しかし、本実施の形態に係る換気装置５０は、建物に設置した後に、この建物に霧が生じやすいことが判明した場合においても、ダンパーユニット１７を駆動すれば、本体箱体１内への霧、雨水などの浸入を抑制することができる。このために、換気装置５０を建物に設置した後に、屋外フードに交換するなどの作業負担が生じることを回避することができる。
【００４６】
建築基準法に規定される換気回数としては、たとえば、０．３回／ｈ若しくは０．５回／ｈ以上とすることが定められている。このため、従来では、この換気回数を満たしながらも本体箱体１に流入する霧などを抑制するにあたっては、給気用送風機８を停止したり、間欠運転を実施したりする必要があった。しかし、本実施の形態に係る換気装置５０は、ダンパーユニット１７を有しているので、給気用送風機８を停止したり、間欠運転を実施したりするといった複雑な制御をせずとも、換気回数を満たしながらも本体箱体１に流入する霧などを抑制することができるようになっている。
【００４７】
なお、本実施の形態では、１つのダンパー板１７Ａにダンパー軸１７Ｂが設けられ、ダンパー軸１７Ｂを軸としてダンパー板１７Ａが回転するように構成したダンパーユニット１７を一例として説明したが、それに限定されるものではない。たとえば、ダンパー板１７Ａを２つ有し、いわゆる観音開きとなるようにダンパーユニット１７を構成してもよい。すなわち、一方のダンパー板１７Ａをケーシング１５の左右方向の一方側に回転自在に設け、他方のダンパー板１７Ａをケーシング１５の左右方向の他方側に回転自在に設けるということである。このような態様であっても、本実施の形態に係る換気装置５０と同様の効果を得ることができる。ただし、本実施の形態で説明したように１つのダンパー板１７Ａで構成した方が、より安価にダンパーユニット１７を設けることができる。
【符号の説明】
【００４８】
１  本体箱体、１Ａ  天面部、１Ｂ  下面部、１ａ  第１の側面部、１ｂ  第２の側面部、１ｃ  第３の側面部、１ｄ  第４の側面部、２  排気吸込口、３  給気吸込口、４  給気吹出口、５  排気吹出口、６  排気風路、７  給気風路、８  給気用送風機、９  排気用送風機、１０  熱交換器、１１  開口、１２  羽根、１３  電動機、１４  メンテナンスカバー、１５  ケーシング、１５Ａ  上面部、１５Ｂ  下面部、１５ａ  傾斜面、１６  湿度センサ、１７  ダンパーユニット、１７Ａ  ダンパー板、１７Ａ１  上側部、１７Ａ２  下側部、１７Ａ３  第１立設部、１７Ａ４  第２立設部、１７Ａ５  第１接続部、１７Ａ６  第２接続部、１７Ｂ  ダンパー軸、１７Ｃ  駆動部、１７Ｄ  リンク部品、２１  給気フィルタ、２２  ダクト、５０  換気装置、１７０  通風部材。
【図１】
2015031418.tif 000003
【図２】
2015031418.tif 000004
【図３】
2015031418.tif 000005
【図４】
2015031418.tif 000006
【図５】
2015031418.tif 000007
【図６】
2015031418.tif 000008
【図７】
2015031418.tif 000009
【図８】
2015031418.tif 000010